(57)【要約】【課題】入力手段の操作に対応する再生装置の動作を説明する取扱説明情報が記録される記録媒体に対して、入力手段の操作に対応する取扱説明情報を再生し、その再生した取扱説明情報を利用者に報知できる再生装置を提供する。【解決手段】ディスク５０を再生する光ピックアップ部４と、利用者によって操作され、その操作によって再生装置１の動作を指令する動作指令が入力される入力部１２と、ディスク５０が、入力部１２の操作に対応する再生装置１の動作を説明する取扱説明情報が記録される取説ディスクであるか否かを判別して、取説ディスクに対して、入力部１２の操作に対応する取扱説明情報を再生するように光ピックアップ部４を制御し、その再生した取扱説明情報を報知するように表示部１３およびコンバータ１１を制御するシステムコントロールマイコン１４とを備える。【選択図】      図１
2004288316.tif 000002
【特許請求の範囲】
【請求項１】
記録媒体に対して、少なくとも記録される情報の再生が可能な再生装置であって、
再生すべき情報が記録される記録媒体を再生する再生手段と、
利用者によって操作され、その操作によって再生装置の動作を指令する動作指令が入力される入力手段と、
記録媒体が、入力手段の操作に対応する再生装置の動作を説明する取扱説明情報を記録した記録媒体であるか否かを判別する判別手段と、
情報を利用者に報知する報知手段と、
取扱説明情報が記録される記録媒体であると判別された記録媒体に対して、入力手段の操作に対応する取扱説明情報を再生するように再生手段を制御し、その再生した取扱説明情報を報知するように報知手段を制御する制御手段とを備えることを特徴とする再生装置。
【請求項２】
報知手段は、情報を音声で報知可能であって、
制御手段は、入力手段の操作に対応する取扱説明情報を音声で報知するように報知手段を制御することを特徴とする請求項１記載の再生装置。
【請求項３】
報知手段は、情報を文字で報知可能であって、
制御手段は、入力手段の操作に対応する取扱説明情報を文字で報知するように報知手段を制御することを特徴とする請求項１記載の再生装置。
【請求項４】
報知手段は、情報を映像で報知可能であって、
制御手段は、入力手段の操作に対応する取扱説明情報を映像で報知するように報知手段を制御することを特徴とする請求項１記載の再生装置。
【請求項５】
報知手段は、情報を音声および文字で報知可能であって、
制御手段は、入力手段の操作に対応する取扱説明情報を音声および文字で報知するように報知手段を制御することを特徴とする請求項１記載の再生装置。
【請求項６】
報知手段は、情報を音声および映像で報知可能であって、
制御手段は、入力手段の操作に対応する取扱説明情報を音声および映像で報知するように報知手段を制御することを特徴とする請求項１記載の再生装置。
【請求項７】
報知手段は、情報を文字および映像で報知可能であって、
制御手段は、入力手段の操作に対応する取扱説明情報を文字および映像で報知するように報知手段を制御することを特徴とする請求項１記載の再生装置。
【請求項８】
報知手段は、情報を音声、文字および映像で報知可能であって、
制御手段は、入力手段の操作に対応する取扱説明情報を音声、文字および映像で報知するように報知手段を制御することを特徴とする請求項１記載の再生装置。
【発明の詳細な説明】
【０００１】
【発明の属する技術分野】
本発明は、記録媒体に対して、少なくとも記録される情報の再生が可能な再生装置に関する。
【０００２】
【従来の技術】
音楽などの音声情報が記録可能な、たとえばミニディスクおよびコンパクトディスクなどの記録媒体に対して、少なくとも記録されている情報を再生する再生装置は、利用者から多機能化が要求されている。その要求に応えて、再生装置は、たとえば記録されている音楽の曲名を入力する編集機能を始めとする、その他の多彩な機能を有するようになってきた。このように再生装置が多機能化するに伴って、再生装置のボタンなどの入力部の操作が複雑化してきている。また、再生装置にある機能の動作をさせようとしても、再生装置のメーカーが異なると、その動作に対応する入力部の操作も異なる場合がある。再生装置には、利用者が再生装置の機能を使いこなせるようにするために、各機能毎の操作方法が詳細に記載される取扱説明書が添付されており、利用者は、この取扱説明書を読みながら再生装置を操作している。
【０００３】
装置の操作方法を得るための従来技術として、電子装置が故障したときに、その故障原因を究明し、故障原因および当該電子装置に対する処置を表示する復旧支援装置がある（たとえば特許文献１参照）。
【０００４】
【特許文献１】
特開平７−３６７２９号公報
【０００５】
【発明が解決しようとする課題】
利用者は、再生装置の機能を上手く使いこなすためには、取扱説明書を読みながら再生装置の入力部を操作しなければならない。また再生装置の機能が多くなるに比例して、取扱説明書の記載量も増加するので、利用者にとって再生装置を使いこなすことは、容易なことではなくなってきつつある。
【０００６】
たとえばコンピュータが読取可能なＣＤ−ＲＯＭおよびＤＶＤ−ＲＯＭなどの記録媒体に、コンピュータの取扱説明情報を記録したヘルプディスクと呼ばれるものがある。このようなヘルプディスクは、利用者自身がヘルプディスクに記録されている情報を検索したり、目次形式で表示される項目を選択することによって、利用者が確認したいコンピュータの動作に関する説明が、コンピュータに接続される表示装置に表示される。これは単に記録紙に印刷されている取扱説明書の内容を表示させるだけであるので、前述の問題を解決できない。
【０００７】
また従来技術のような復旧支援装置では、電子装置の故障原因および当該電子装置に対する処置を表示できるけれども、電子装置の入力部を操作したときに、その操作に対応する電子装置の動作の説明を表示できるように構成されていない。
【０００８】
したがって本発明の目的は、入力手段の操作に対応する再生装置の動作を説明する取扱説明情報が記録される記録媒体に対して、入力手段の操作に対応する取扱説明情報を再生し、その再生した取扱説明情報を利用者に報知できる再生装置を提供することである。
【０００９】
【課題を解決するための手段】
本発明は、記録媒体に対して、少なくとも記録される情報の再生が可能な再生装置であって、
再生すべき情報が記録される記録媒体を再生する再生手段と、
利用者によって操作され、その操作によって再生装置の動作を指令する動作指令が入力される入力手段と、
記録媒体が、入力手段の操作に対応する再生装置の動作を説明する取扱説明情報を記録した記録媒体であるか否かを判別する判別手段と、
情報を利用者に報知する報知手段と、
取扱説明情報が記録される記録媒体であると判別された記録媒体に対して、入力手段の操作に対応する取扱説明情報を再生するように再生手段を制御し、その再生した取扱説明情報を報知するように報知手段を制御する制御手段とを備えることを特徴とする再生装置である。
【００１０】
本発明に従えば、判別手段によって、記録媒体は、入力手段の操作に対応する再生装置の動作を説明する取扱説明情報を記録した記録媒体であるか否かが判別される。再生手段は、取扱説明情報が記録される記録媒体であると判別された記録媒体に対して、入力手段の操作に対応する取扱説明情報を再生するように、制御手段によって制御される。また報知手段は、再生手段によって再生された取扱説明情報を報知するように、制御手段によって制御される。したがって記録媒体が取扱説明情報が記録される記録媒体である場合、利用者が入力手段を操作すると、その操作に対応する取扱説明情報を利用者に報知することができる。これによって利用者は、入力手段を操作しながら、その操作に対応する再生装置の動作の説明を確認できるので、再生装置が所望の動作をするような入力手段の操作を、可及的に速く習得することができる。
【００１１】
また本発明は、報知手段は、情報を音声で報知可能であって、
制御手段は、入力手段の操作に対応する取扱説明情報を音声で報知するように報知手段を制御することを特徴とする。
【００１２】
本発明に従えば、報知手段は、入力手段の操作に対応する取扱説明情報を音声で報知するように、制御手段によって制御される。これによって利用者は、入力手段を操作しながら、その操作に対応する再生装置の動作の説明を聞いて確認することができる。
【００１３】
また本発明は、報知手段は、情報を文字で報知可能であって、
制御手段は、入力手段の操作に対応する取扱説明情報を文字で報知するように報知手段を制御することを特徴とする。
【００１４】
本発明に従えば、報知手段は、入力手段の操作に対応する取扱説明情報を文字で報知するように、制御手段によって制御される。これによって利用者は、入力手段を操作しながら、その操作に対応する再生装置の動作の説明を読んで確認することができる。
【００１５】
また本発明は、報知手段は、情報を映像で報知可能であって、
制御手段は、入力手段の操作に対応する取扱説明情報を映像で報知するように報知手段を制御することを特徴とする。
【００１６】
本発明に従えば、報知手段は、入力手段の操作に対応する取扱説明情報を映像で報知するように、制御手段によって制御される。これによって利用者は、入力手段を操作しながら、その操作に対応する再生装置の動作の説明を見て確認することができる。
【００１７】
また本発明は、報知手段は、情報を音声および文字で報知可能であって、
制御手段は、入力手段の操作に対応する取扱説明情報を音声および文字で報知するように報知手段を制御することを特徴とする。
【００１８】
本発明に従えば、報知手段は、入力手段の操作に対応する取扱説明情報を音声および文字で報知するように、制御手段によって制御される。これによって利用者は、入力手段を操作しながら、その操作に対応する再生装置の動作の説明を読み聞きして、確実に確認することができる。
【００１９】
また本発明は、報知手段は、情報を音声および映像で報知可能であって、
制御手段は、入力手段の操作に対応する取扱説明情報を音声および映像で報知するように報知手段を制御することを特徴とする。
【００２０】
本発明に従えば、報知手段は、入力手段の操作に対応する取扱説明情報を音声および映像で報知するように、制御手段によって制御される。これによって利用者は、入力手段を操作しながら、その操作に対応する再生装置の動作の説明を見聞きして、確実に確認することができる。
【００２１】
また本発明は、報知手段は、情報を文字および映像で報知可能であって、
制御手段は、入力手段の操作に対応する取扱説明情報を文字および映像で報知するように報知手段を制御することを特徴とする。
【００２２】
本発明に従えば、報知手段は、入力手段の操作に対応する取扱説明情報を文字および映像で報知するように、制御手段によって制御される。これによって利用者は、入力手段を操作しながら、その操作に対応する再生装置の動作の説明を見て、確実に確認することができる。
【００２３】
また本発明は、報知手段は、情報を音声、文字および映像で報知可能であって、
制御手段は、入力手段の操作に対応する取扱説明情報を音声、文字および映像で報知するように報知手段を制御することを特徴とする。
【００２４】
本発明に従えば、報知手段は、入力手段の操作に対応する取扱説明情報を音声、文字および映像で報知するように、制御手段によって制御される。これによって利用者は、入力手段を操作しながら、その操作に対応する再生装置の動作の説明を見聞きして、確実に確認することができる。
【００２５】
【発明の実施の形態】
図１は、本発明の実施の一形態の再生装置１の構成を示すブロック図である。再生装置１は、たとえばミニディスクなどの記録媒体であるディスク５０に対して、少なくとも記録されている音楽などの情報の再生が可能である。再生装置１は、スピンドルモータ２、送りモータ３、光ピックアップ部４、メカニズム部５、アナログ信号処理回路６、ディジタル信号処理回路７、メモリ８、サーボ制御回路９、音声圧縮伸長回路１０、コンバータ１１、入力部１２、表示部１３、システムコントロールマイコン１４およびヘッドホン２０を含んで構成される。
【００２６】
スピンドルモータ２は、再生装置１に装着されたディスク５０を着脱可能にして把持し、メカニズム部５によって駆動されて、ディスク５０を回転する。送りモータ３は、メカニズム部５によって駆動されて、光ピックアップ部４を、スピンドルモータ２に装着されているディスク５０に対して、ディスク５０の半径方向に平行なトラッキング方向に変位する。光ピックアップ部４は、メカニズム部５によって駆動されて、ディスク５０にレーザ光を照射し、ディスク５０からの反射光を受光する再生ヘッドであり、ディスク５０に記録されている情報を表すＲＦ信号などの信号をアナログ信号処理回路６に与える。メカニズム部５は、モータドライバ回路などを有し、サーボ制御回路９によって制御されて、スピンドルモータ２、送りモータ３および光ピックアップ部４を駆動する。
【００２７】
アナログ信号処理回路６は、光ピックアップ部４からの信号を増幅して、ディジタル信号処理回路７に与える。またアナログ信号処理回路６は、光ピックアップ部４からの信号からフォーカスエラー信号およびトラッキングエラー信号などのサーボ制御信号を生成して、サーボ制御回路９に与える。
【００２８】
ディジタル信号処理回路７は、アナログ信号処理回路３からの信号を復調するとともに、誤り訂正などの所定の処理を施して、ディジタル音声情報および文字情報を生成して、音声圧縮伸長回路１０に与える。またディジタル信号処理回路７は、システムコントロールマイコン１４によって制御されて、ディジタル音声情報および文字情報をメモリ８に一時的に記憶する。さらにディジタル信号処理回路７は、メモリ８に記憶されているディジタル音声情報を音声圧縮伸長回路１０に与え、メモリ８に記憶されている文字情報をシステムコントロールマイコン１４に与える。メモリ８は、たとえばランダムアクセスメモリで実現され、ディジタル信号処理回路７によって制御されて、情報を記憶する。
【００２９】
サーボ制御回路９は、アナログ信号処理回路６からのサーボ制御信号に基づいて、光ピックアップ部４から照射されるレーザ光をディスク５０の目標の記録トラックに追従させるように、スピンドルモータ２、送りモータ３および光ピックアップ４を駆動するメカニズム部５を制御するようなフィードバック制御を行う。サーボ制御回路９は、詳細に述べると、システムコントロールマイコン１４によって制御されて、アナログ信号処理回路３から出力されたサーボ制御信号に基づいて、スピンドルモータ２に対する回転角速度の制御量、送りモータ３のトラッキング制御量およびシーク制御量、ならびに光ピックアップ部４のフォーカシング制御量を決定し、これらの制御量を制御信号としてメカニズム部５に与える。
【００３０】
本実施の形態において、再生手段は、スピンドルモータ２、送りモータ３、光ピックアップ部４、メカニズム部５、アナログ信号処理回路６、ディジタル信号処理回路７、およびサーボ制御回路９を含んで構成され、ディスク５０を再生する。
【００３１】
音声圧縮伸長回路１０は、ディジタル信号処理回路４からのディジタル音声情報を所定の符号化方式に基づいて復号し、復号したディジタル音声情報をコンバータ１０に与える。コンバータ１１は、Ｄ／Ａコンバータ１１ａを有し、音声圧縮伸長回路１０からのディジタル音声情報をアナログ音声信号に変換して、出力端子１１ｂに接続されるヘッドホン２０に与える。ヘッドホン２０は、スピーカを有し、出力端子１１ｂに着脱可能にして接続され、コンバータ１１からのアナログ音声信号を、利用者が確認可能な音声に変換する。本実施の形態において、情報を音声で報知可能な報知手段は、音声圧縮伸長回路１０、コンバータ１１およびヘッドホン２０を含んで構成される。
【００３２】
入力手段である入力部１２は、再生キー１２ａ、停止キー１２ｂ、一時停止キー１２ｃ、ＶＯＬＵＭＥキー１２ｄ、ＡＭＳキー１２ｅおよびＭＥＮＵキー１２ｆを有する。入力部１２は、利用者によって各キー１２ａ〜１２ｆが操作され、その操作によって再生装置１の動作を指令する動作指令が入力されて、システムコントロールマイコン１４に与える。各キー１２ａ〜１２ｆの詳細な説明は後述する。
【００３３】
表示部１３は、液晶パネル１３ａを有し、利用者が確認可能な形態で情報を表示する。表示部１３は、再生手段によって再生されたディスク５０に記録されている文字情報を液晶パネル１３ａに表示する。表示部１３は、スクローリングが可能となっており、表示すべき文字情報の文字列の字数が多い場合、および文字列の数が多い場合には、このような文字列を一括して表示することができる。本実施の形態において、情報を文字および映像で報知可能な報知手段は、表示部１３で構成される。したがって本実施の形態において、報知手段は、音声圧縮伸長回路１０、コンバータ１１およびヘッドホン２０、ならびに表示部１３を含んで構成される。
【００３４】
判別手段および制御手段であるシステムコントロールマイコン１４は、たとえばマイクロコンピュータで実現され、再生装置１を統括的に制御する。システムコントロールマイコン１４による制御の詳細な説明は後述する。
【００３５】
図２は、ディスク５０のデータ構造を模式的に示す図である。ミニディスクであるディスク５０において、情報はクラスタ単位で記録されている。１クラスタは、３６個のセクタから成る。ディスク５０が情報の書換可能なミニディスクである場合、１つのクラスタにおいて、３６個のセクタのうち３つのセクタは、誤り訂正のために必要な捨てセクタとも呼ばれるリンクセクタであり、３６個のセクタのうち１つのセクタは、サブデータを記憶するためのサブデータセクタである。またディスク５０が情報の書換が不可能な再生専用のミニディスクである場合、１つのクラスタにおいて、前述の書換可能なミニディスクのようなリンクセクタが不要となり、３６個のセクタのうち４つのセクタがサブデータセクタとなる。サブデータセクタには、たとえば画像などの情報がサブデータとして記録される。
【００３６】
ミニディスクであるディスク５０において、音楽などの音声情報は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  Ｖｅｒｓｉｏｎ  ３）と称される符号化方式で圧縮符号化されて、各クラスタのリンクセクタおよびサブデータセクタを除くセクタである３２個のデータセクタに記録される。
【００３７】
ディスク５０が、入力部１２の各キー１２ａ〜１２ｆの操作に対応する再生装置１の動作を説明する取扱説明情報を記録した取説専用ディスクである場合、音声による取扱説明情報は、前述のようにＡＴＲＡＣ３方式で圧縮符号化されて、各クラスタの３２個のデータセクタに記録される。
【００３８】
また文字による取扱説明情報は、各クラスタのリンクセクタおよびサブデータセクタに記録される。取説専用ディスクが、情報の書換が不可能なミニディスクである場合には、文字による取扱説明情報は、各クラスタのサブデータセクタに記録される。音楽などの音声情報が記録されるミニディスクに曲名として記録できる文字数は、一般的に１セクタ分の２０４８文字であるけれども、各クラスタのサブデータセクタを用いることによって、取扱説明情報のような文字数の非常に多い文字を記録することが可能となる。
【００３９】
また映像による取扱説明情報は、前述の文字による取扱説明情報と同様に、取説専用ディスクにおける各クラスタのサブデータセクタに記録される。映像が静止画像である場合、映像はＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ  ）方式で圧縮符号化されて、取説専用ディスクに記録される。また映像が動画像である場合、映像はＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）１方式またはＭＰＥＧ２方式で圧縮符号化されて、取説専用ディスクに記録される。
【００４０】
このように文字および映像による取扱説明情報を取説専用ディスクに記録することによって、ミニディスクの規格において、一般的なミニディスク再生装置でも再生可能となる。
【００４１】
ミニディスクであるディスク５０は、プログラム領域およびＵＴＯＣ（Ｕｓｅｒ’ｓ  Ｔａｂｌｅ  ｏｆ  Ｃｏｎｔｅｎｔｓ）領域を有する。プログラム領域には、圧縮符号化された音声情報が記録される。ＵＴＯＣ領域は、トラックの記録および再生動作などの管理を行なう管理情報が記録される領域であり、管理情報として、プログラム領域における音声情報の記録位置、ならびにトラックネームおよびディスクネームなどが記録される。ＵＴＯＣ領域は、ミニディスクにおけるクラスタのうち、クラスタ３、クラスタ４およびクラスタ５であり、これら３つのクラスタには、同一の管理情報が記録される。ＵＴＯＣ領域において、各クラスタのセクタ０からセクタ３１までの３２個のデータセクタに管理情報を記憶することができる。
【００４２】
図３は、ＵＴＯＣ領域のクラスタのセクタ０のフォーマットを模式的に示す図である。このセクタ０には、ディスク５０のプログラム領域に記録されている情報のトラックのプログラム領域における記録開始位置であるスタートアドレスおよびトラックのプログラム領域における記録終了位置であるエンドアドレスなどが記録される。
【００４３】
図４は、ＵＴＯＣ領域のクラスタのセクタ１のフォーマットを模式的に示す図である。このセクタ１には、ディスク５０の名称であるディスクネーム、およびディスク５０のプログラム領域に記録されている情報の各トラックのトラックネームが、文字情報として記録される。前記セクタ１において、ディスクネームおよびトラックネームは、アスキーコードで規定されるアルファベット大文字、アルファベット小文字、数字、記号および片仮名を用いて記録される。
【００４４】
図５は、ＵＴＯＣ領域のクラスタのセクタ２のフォーマットを模式的に示す図である。このセクタ２には、ディスク５０のプログラム領域に記録されている情報の各トラックが記録された日時であるトラック録音時間などが記録される。
【００４５】
図６は、ＵＴＯＣ領域のクラスタのセクタ４のフォーマットを模式的に示す図である。このセクタ４には、ディスク５０の名称であるディスクネーム、およびディスク５０のプログラム領域に記録されている情報の各トラックのトラックネームが、文字情報として記録される。前記セクタ４において、ディスクネームおよびトラックネームは、ＪＩＳ  Ｘ  ０２０８で規定される平仮名および漢字を含む文字、ならびにＩＳＯ−８８５９−１で規定される欧州文字を用いて記録され、図４に示すＵＴＯＣ領域のクラスタのセクタ１の文字情報に加えて、所定バイト位置に文字コードの属性が記録される。
【００４６】
図７は、再生装置１にディスク５０を装着したときのシステムコントロールマイコン１４の制御手順を示すフローチャートである。再生装置１にディスク５０が装着されていない状態のステップｓ０で手順が開始されて、ステップｓ１に進む。ステップｓ１では、システムコントロールマイコン（以後、単に「マイコン」と表記することがある）１４は、装着されたディスク５０のＵＴＯＣ領域を再生するように、サーボ制御回路９を制御してステップｓ２に進む。
【００４７】
ステップｓ２では、マイコン１４は、再生したディスク５０のＵＴＯＣ領域に記録されている管理情報をメモリ８に記憶するように、ディジタル信号処理回路７を制御して、ステップｓ３に進む。
【００４８】
ステップｓ３では、マイコン１４は、メモリ８に記憶されている管理情報のうち、ディスク５０のＵＴＯＣ領域のセクタ１に記憶されていた管理情報を読出すように、ディジタル信号処理回路７を制御して、ステップｓ４に進む。
【００４９】
ステップｓ４では、マイコン１４は、ステップｓ３において読出した管理情報からディスク５０のディスクネームを抽出して、ステップｓ５に進む。
【００５０】
ステップｓ５では、マイコン１４は、ステップｓ４において抽出したディスクネームが取説専用ディスクを表しているか否か、すなわち再生装置１に装着されたディスク５０が取説専用ディスクであるか否かを判別し、取説専用ディスクでないと判別するとステップｓ６に進み、取説専用ディスクであると判別するとステップｓ１０に進む。またステップｓ５では、マイコン１４は、ステップｓ４において抽出したディスクネームを、液晶パネル１３ａに表示するように表示部１３を制御する。
【００５１】
ステップｓ５において、再生装置１に装着されたディスク５０が取説専用ディスクでないと判別されてステップｓ６に進むと、ステップｓ６では、マイコン１４は、ディスク５０に対して、記録されている音楽などの音声情報を再生する通常モードで再生を行うように設定して、ステップｓ７に進む。
【００５２】
ステップｓ７では、入力部１２の各キー１２ａ〜１２ｆが利用者によって操作され、動作指令が入力されて、ステップｓ８に進む。具体的には、再生キー１２ａが押圧操作されると、再生装置１に装着されているディスク５０のプログラム領域に記録されている音楽などの音声情報を再生することを表す再生動作指令が入力される。ディスク５０が再生されている状態で、停止キー１２ｂが押圧操作されると、ディスク５０の再生を停止することを表す停止動作指令が入力される。ディスク５０が再生されている状態で、一時停止キー１２ｃが押圧操作されると、ディスク５０の再生を一時停止することを表す一時停止動作指令が入力される。ディスク５０の再生が一時停止している状態で、一時停止キー１２ｃが押圧操作されると、ディスク５０の一時停止状態を解除して再生を再開することを表す再生再開動作指令が入力される。
【００５３】
ＶＯＬＵＭＥキー１２ｄが押圧操作されると、ヘッドホン２０から出力する音声の音圧を、現在の音圧よりも高くしたり低くしたりする音声調整動作指令が入力される。ＡＭＳキー１２ｅが操作されると、現在のトラックよりも後のトラックの音声情報を選択するようなスキップアップ、および現在のトラックよりも前のトラックの音声情報を選択するようなスキップダウンを行うことを表す頭出し（Ａｕｔｏ  Ｍｕｓｉｃ  Ｓｃａｎ  ；略称：ＡＭＳ）動作指令が入力される。ＭＥＮＵキー１２ｆが押圧操作されると、液晶パネル１３ａにメニューを表示することを表すメニュー動作指令が入力される。
【００５４】
図８は、通常モードにおいてメニュー動作指令が入力されたときに液晶パネル１３ａに表示される内容の一例を示す図である。利用者によってＭＥＮＵキー１２ｆが押圧操作されてメニュー動作指令が入力されると、マイコン１４は前記メニュー動作指令に基づいて、図８（１）に示すようなメインメニューＭ１を液晶パネル１３ａに表示するように、表示部１３を制御する。本実施の形態では、メインメニューＭ１の一例として、図８（１）に示すような、「ＤＩＳＰＬＡＹ」、「ＲＥＣ  ＳＥＴ」、「ＭＤＬＰ」、「ＥＤＩＴ」、「ＭＯＶＥ」、「Ｅｒａｓｅ」および「Ｇｒｏｕｐ」の選択肢が表示される。
【００５５】
「ＤＩＳＰＬＡＹ」は、装着されているディスク５０にさらに記録可能な時間を表す残り時間、および前記ディスク５０に記録されている曲などの音声情報の記録順などを含む情報であるディスプレイ情報を表示させるときに選ぶ選択肢である。「ＲＥＣ  ＳＥＴ」は、再生装置１に接続される他の再生装置との間で動作を同調させて記録を行うシンクロ録音を設定するときに選ぶ選択肢である。「ＭＤＬＰ」は、ミニディスクにおいて従来から使われていたＡＴＲＡＣ符号化方式で記録する標準モード、ならびに前記ＡＴＲＡＣ符号化方式に対し約２倍の圧縮効率となるＡＴＲＡＣ３符号化方式を採用した長時間録音のための規格であるＭＤＬＰに基づく標準モードの２倍の時間記録可能なＬＰ２モード、および標準モードの４倍の時間録音可能なＬＰ４モードなどをで音声情報をディスク５０に記録するときに選ぶ選択肢である。
【００５６】
「ＥＤＩＴ」は、ディスク５０に記録される音声情報に対応する曲名などトラックネームを編集するときに選ぶ選択肢である。「ＭＯＶＥ」は、ディスク５０に記録されている音声情報の順番を変更するときに選ぶ選択肢である。「Ｅｒａｓｅ」は、ディスク５０に記録されている音声情報を消去するときに選ぶ選択肢である。「Ｇｒｏｕｐ」は、複数の音声情報をグループ化するときに選ぶ選択肢である。これらの選択肢のいずれかを選ぶと、選ばれた選択肢に対応する詳細な情報および設定項目を液晶パネル１３ａに表示することを表すメニュー動作指令が入力される。
【００５７】
図８（１）に示すようなメインメニューＭ１が液晶パネル１３ａに表示されている状態で、利用者が入力部１２を操作して「ＤＩＳＰＬＡＹ」が選択されると、「ＤＩＳＰＬＡＹ」に対応するメニュー動作指令が入力される。マイコン１４は前記メニュー動作指令に基づいて、図８（２）に示すようなディスプレイメニューＭ２を液晶パネル１３ａに表示するように、表示部１３を制御する。本実施の形態では、ディスプレイメニューＭ２の一例として、図８（２）に示すような、「ＬａｐＴｉｍｅ」、「ＲｅｃＲｅｍａｉｎ」、「ＧＰ  Ｒｅｍａｉｎ」、「ＡｌｌＲｅｍａｉｎ」、「Ｔｉｔｌｅ」、「Ｓｏｕｎｄ」、「ＢａｔｔｅｒｙＳｔａｔｅ」および「Ｃｌｏｃｋ」の選択肢が表示される。ディスプレイメニューＭ２の各選択肢に関する詳細な説明は省略する。
【００５８】
図８（２）に示すようなディスプレイメニューＭ２が液晶パネル１３ａに表示されている状態で、利用者が入力部１２を操作して「ＬａｐＴｉｍｅ」が選択されると、「ＬａｐＴｉｍｅ」に対応するメニュー動作指令が入力される。マイコン１４は前記メニュー動作指令に基づいて、図８（３）に示すようなラップタイム情報Ｍ３を液晶パネル１３ａに表示するように、表示部１３を制御する。ラップタイム情報Ｍ３には、図８（３）の参照符号ｍ１に示される表示情報名と、参照符号ｍ２に示される現在再生されている音声情報の順番と、参照符号ｍ３に示される現在再生されている音声情報の再生時刻とを含む。
【００５９】
ステップｓ８では、マイコン１４は、入力部１２からの動作指令に基づいて、ディスク５０を再生するように、再生装置１を統括的に制御して、ステップｓ９に進む。具体的には、ディスク５０が再生装置１に装着されている状態で再生動作指令が入力されると、マイコン１４は、ディスク５０のプログラム領域に記録されている音楽などの音声情報を再生してヘッドホン２０から出力するように、サーボ制御回路９、ディジタル信号処理回路７および音声圧縮伸長回路１０を制御する。ディスク５０が再生されている状態で、停止動作指令が入力されると、マイコン１４は、ディスク５０の再生を停止するように、サーボ制御回路９、ディジタル信号処理回路７および音声圧縮伸長回路１０を制御する。
【００６０】
ディスク５０が再生されている状態で、一時停止動作指令が入力されると、マイコン１４は、ディスク５０の再生を一時停止するように、サーボ制御回路９、ディジタル信号処理回路７および音声圧縮伸長回路１０を制御する。ディスク５０の再生が一時停止している状態で再生再開動作指令が入力されると、マイコン１４は、ディスク５０の一時停止状態を解除して再生を再開するように、サーボ制御回路９、ディジタル信号処理回路７および音声圧縮伸長回路１０を制御する。
【００６１】
音声調整動作指令が入力されると、マイコン１４は、ヘッドホン２０から出力する音声の音圧を、現在の音圧よりも高くしたり低くしたりするように、コンバータ１１を制御する。頭出し動作指令が入力されると、マイコン１４は、現在のトラックよりも後のトラックの音声情報を選択するようなスキップアップ、および現在のトラックよりも前のトラックの音声情報を選択するようなスキップダウンを行うように、サーボ制御回路９を制御する。メニュー動作指令が入力されると、マイコン１４は、液晶パネル１３ａにメニューを表示するように、表示部１３を制御する。
【００６２】
ステップｓ９では、マイコン１４は、たとえばディスク５０のディスクネームおよび現在再生中のトラックのトラックネームなどの管理情報を液晶パネル１３ａに表示するように、表示部１３を制御してステップｓ１４に進み、全ての手順を終了する。
【００６３】
ステップｓ５において、再生装置１に装着されたディスク５０が取説専用ディスクであると判別されてステップｓ１０に進むと、ステップｓ１０では、マイコン１４は、取説専用ディスクであるディスク５０に対して、記録されている取扱説明情報を再生する取説モードで再生を行うように設定して、ステップｓ１１に進む。
【００６４】
ステップｓ１１では、入力部１２の各キー１２ａ〜１２ｆが利用者によって操作され、動作指令が入力されて、ステップｓ１１に進む。入力部１２の各キー１２ａ〜１２ｆが押圧操作されたときに入力される動作指令は、上述のステップｓ７と同様である。
【００６５】
ステップｓ１２では、マイコン１４は、入力部１２から入力された動作指令に対応する取扱説明情報を再生するように、サーボ制御回路９およびディジタル信号処理回路７を制御して、ステップｓ１３に進む。
【００６６】
ステップｓ１３では、マイコン１４は、ステップｓ１３において再生した取扱説明情報を利用者に報知するように、文字および映像による取扱説明情報を液晶パネル１３ａに表示するように表示部１２を制御したり、音声による取扱説明情報をヘッドホン２０から出力するように音声圧縮伸長回路１０およびコンバータ１１を制御して、ステップｓ１４に進み、全ての手順を終了する。ステップｓ１３において、マイコン１４は、利用者に取扱説明情報を確実に報知できるように、文字による取扱説明情報を、利用者が読取るのに支障のない一定の速度でスクロール表示するように、表示部１３を制御する。
【００６７】
図９は、取説モードにおいて再生動作指令が入力されたときに液晶パネル１３ａに表示される内容を示す図である。ステップｓ１３において、詳細には、再生動作指令が入力されると、マイコン１４は、取説専用ディスクであるディスク５０のプログラム領域に記録されている取扱説明情報のうち、再生動作指令に対応するトラックを再生するようにサーボ制御回路９を制御する。この再生されたトラックには、再生動作指令に対応する音声による取扱説明情報、文字による取扱説明情報および映像による取扱説明情報が記録されている。再生動作指令に対応する音声および文字による取扱説明情報は、たとえば「このキーは、再生キーです。ミニディスクに録音されている曲が再生されます。全曲の再生が終了すると自動的に停止します。」という内容であってもよい。また再生動作指令に対応する映像による取扱説明情報は、たとえば図８に示すような静止画像であってもよい。他の動作指令に対応する取扱説明情報も、前述の再生動作指令に対応する取扱説明情報に類似するような内容である。
【００６８】
前述のように取説モードにおいて、再生装置１は、入力部１２からの動作指令に基づくディスク５０の再生を行うのではなく、取説専用ディスクであるディスク５０に記録されている動作指令に対応する取扱説明情報を再生して、文字および映像による取扱説明情報を液晶パネル１３ａに表示したり、音声による取扱説明情報をヘッドホン２０から出力したりする。
【００６９】
前述の図７に示すフローチャートの説明では、ステップｓ１４で手順が終了してから再びステップｓ０から手順を開始する毎に、ステップｓ５においてディスク５０の判別を行うけれども、再生装置１に装着されていたディスク５０が取り出されていない場合、通常モードであれば、ステップｓ９から再びステップｓ７に戻り、取説モードであれば、ステップｓ１３からステップｓ１１に戻るようにしてもよい。
【００７０】
以上のように本実施の形態の再生装置１によれば、ディスク５０が入力部１２の操作に対応する再生装置１の動作を説明する取扱説明情報を記録した取説専用ディスクであると判別された場合、利用者が入力部１２を操作することで、その操作に対応する取扱説明情報を利用者に報知することができる。これによって利用者は、入力部１２の各キー１２ａ〜１２ｆを操作しながら、その操作に対応する再生装置１の動作の説明を確認できるので、再生装置１が所望の動作をするような入力部１２の操作を、可及的に速く習得することができる。
【００７１】
また本実施の形態の再生装置１によれば、入力部１２の操作に対応する取扱説明情報が、音声、文字および映像のいずれか１つ、音声、文字および映像のいずれか２つの組合せ、ならびに音声、文字、および映像で利用者に報知される。これによって利用者は、入力部１２を操作しながら、その操作に対応する再生装置１の動作の説明を見聞きして容易に確認することができる。
【００７２】
従来技術で述べたようなヘルプディスクでは、単に記録紙に印刷されている取扱説明書の内容を表示させるだけであるので、実際のコンピュータの動作を伴わない。一方、本実施の形態の再生装置１では、利用者が実際に入力部１２を操作するという物理動作に連動して取扱説明情報を報知することで、前述の効果を達成している。また利用者が取扱説明書を読みながら入力部を操作したとき、通常行ってはならない手順で操作したり、誤操作したりすることによって再生装置が故障する可能性がある。しかし本実施の形態の再生装置１では、装着されたディスク５０が取説専用ディスクであるか否かを判別することで、取説専用ディスクを認識することができる。取説専用ディスクを用いることで、通常行ってはならない手順の操作および誤操作を行っても、それらの操作に関する取扱説明情報が報知されるだけで、再生装置１の故障に至ることがない。
【００７３】
本実施の形態の再生装置１は、ミニディスクであるディスク５０を再生するとしたけれども、ディスク５０に音声などの情報を記録可能であってもよい。また再生装置１は、ミニディスクであるディスク５０を再生するとしたけれども、たとえばコンパクトディスク（略称：ＣＤ）およびデジタル多機能ディスク（略称：ＤＶＤ）を再生可能であり、ＣＤおよびＤＶＤに取扱説明情報を記録して、前述と同様にして、入力部１２の操作に対応する取扱説明情報を利用者に報知するような構成であってもよい。
【００７４】
また本実施の形態の再生装置１において、入力部１２は、再生キー１２ａ、停止キー１２ｂ、一時停止キー１２ｃ、ＶＯＬＵＭＥキー１２ｄ、ＡＭＳキー１２ｅおよびＭＥＮＵキー１２ｆを有するとしたけれども、これらのキー以外のキーを有する構成であってもよい。たとえば再生装置１がディスク５０に情報を記録可能な構成である場合、入力部１２は、録音キーをさらに有する構成であってもよい。
【００７５】
【発明の効果】
以上のように本発明によれば、記録媒体は、入力手段の操作に対応する再生装置の動作を説明する取扱説明情報を記録した記録媒体であるか否かが判別され、記録媒体が取扱説明情報が記録される記録媒体である場合、利用者が入力手段を操作すると、その操作に対応する取扱説明情報を利用者に報知することができる。これによって利用者は、入力手段を操作しながら、その操作に対応する再生装置の動作の説明を確認できるので、再生装置が所望の動作をするような入力手段の操作を、可及的に速く習得することができる。
【００７６】
また本発明によれば、利用者は、入力手段を操作しながら、その操作に対応する再生装置の動作の説明を聞いて確認することができる。
【００７７】
また本発明によれば、利用者は、入力手段を操作しながら、その操作に対応する再生装置の動作の説明を読んで確認することができる。
【００７８】
また本発明によれば、利用者は、入力手段を操作しながら、その操作に対応する再生装置の動作の説明を見て確認することができる。
【００７９】
また本発明によれば、利用者は、入力手段を操作しながら、その操作に対応する再生装置の動作の説明を読み聞きして、確実に確認することができる。
【００８０】
また本発明によれば、利用者は、入力手段を操作しながら、その操作に対応する再生装置の動作の説明を見聞きして、確実に確認することができる。
【００８１】
また本発明によれば、利用者は、入力手段を操作しながら、その操作に対応する再生装置の動作の説明を見て、確実に確認することができる。
【００８２】
また本発明によれば、利用者は、入力手段を操作しながら、その操作に対応する再生装置の動作の説明を見聞きして、確実に確認することができる。
【図面の簡単な説明】
【図１】本発明の実施の一形態の再生装置１の構成を示すブロック図である。
【図２】ディスク５０のデータ構造を模式的に示す図である。
【図３】ＵＴＯＣ領域のクラスタのセクタ０のフォーマットを模式的に示す図である。
【図４】ＵＴＯＣ領域のクラスタのセクタ１のフォーマットを模式的に示す図である。
【図５】ＵＴＯＣ領域のクラスタのセクタ２のフォーマットを模式的に示す図である。
【図６】ＵＴＯＣ領域のクラスタのセクタ４のフォーマットを模式的に示す図である。
【図７】再生装置１にディスク５０を装着したときのシステムコントロールマイコン１４の制御手順を示すフローチャートである。
【図８】通常モードにおいてメニュー動作指令が入力されたときに液晶パネル１３ａに表示される内容の一例を示す図である。
【図９】取説モードにおいて再生動作指令が入力されたときに液晶パネル１３ａに表示される内容を示す図である。
【符号の説明】
１  再生装置
２  スピンドルモータ
３  送りモータ
４  光ピックアップ部
５  メカニズム部
６  アナログ信号処理回路
７  ディジタル信号処理回路
８  メモリ
９  サーボ制御回路
１０  音声圧縮回路
１１  コンバータ
１２  入力部
１３  表示部
１４  システムコントロールマイコン
２０  ヘッドホン
５０  ディスク
【図１】
2004288316.tif 000003
【図２】
2004288316.tif 000004
【図３】
2004288316.tif 000005
【図４】
2004288316.tif 000006
【図５】
2004288316.tif 000007
【図６】
2004288316.tif 000008
【図７】
2004288316.tif 000009
【図８】
2004288316.tif 000010
【図９】
2004288316.tif 000011